(57)【要約】  【課題】部品点数を低減し、金型を減らすことによりコストダウンを図ると共に、組立て性を向上させたステッピングモータのモータケースを得る。  【解決手段】２つの一端開放有底円筒体（ケース左半部２１、ケース右半部２７）の開放端部２２，２８を相互に当接させて組立てられるモータケースに於て、前記２つの円筒体は同一形状に形成されると共に、該円筒体の開放端部２２，２８は内周部位が欠損して外周部位で形成される外周端部２３，２９と、外周部位が欠損して内周部位で形成される内周端部２４，３０とが対称位置に配設されて成り、該２つの円筒体の外周端部２３，２９と内周端部２４，３０とを相互に嵌合させて該２つの円筒体を組合わせるように構成されて成るモータケースを提供する。【選択図】図１
2005218176.tif 000002
【特許請求の範囲】
【請求項１】
２つの一端開放有底円筒体の開放端部を相互に当接させて組立てられるモータケースに於て、前記２つの円筒体は同一形状に形成されると共に、該円筒体の開放端部は内周部位が欠損して外周部位で形成される外周端部と、外周部位が欠損して内周部位で形成される内周端部とが対称位置に配設されて成り、該２つの円筒体の外周端部と内周端部とを相互に嵌合させて該２つの円筒体を組合わせるように構成されて成ることを特徴とするモータケース。
【請求項２】
上記円筒体の開放端部は１つの上記外周端部と、１つの上記内周端部が配設されることを特徴とする請求項１記載のモータケース。
【請求項３】
上記円筒体の開放端部は２つの上記外周端部と、２つの上記内周端部とが配設されることを特徴とする請求項１記載のモータケース。
【請求項４】
上記円筒体の開放端部は３つ以上の上記外周端部と、３つ以上の上記内周端部とが配設されることを特徴とする請求項１記載のモータケース。
【請求項５】
上記内周端部は外周部位が圧潰されて形成され、上記外周端部は内周部位が圧潰されて形成されていることを特徴とする請求項１，２，３又は４記載のモータケース。
【発明の詳細な説明】
【技術分野】
【０００１】
本発明は、モータケースに関するものであり、特に、組立て性の向上及びコストダウンを図ったステッピングモータのモータケースに関するものである。
【背景技術】
【０００２】
従来のステッピングモータのモータケースを図５及び図６に従って説明する。図５（a）に於て、１はステッピングモータのモータケースを形成するための有底円筒状のケース左半部であり、該ケース左半部１の開放端部２は環状に形成され、図に於て上部に端子部（図示なし）を貫通させるための凹部３が形成されている。
【０００３】
図５（ｂ）に於て、４はステッピングモータのモータケースを形成するための有底円筒状のケース右半部であり、該ケース右半部４の開放端部５は環状に形成され、図に於て上部に端子部（図示なし）を貫通させるための凹部６が形成されている。そして、前記ケース左半部１の開放端部２と、前記ケース右半部４の開放端部５とを当接させ、且つ、前記ケース左半部１の凹部３と、前記ケース右半部４の凹部６とが対向するように位置決めされた後、該開放端部２と該開放端部５とは所定の方法で固着されて組立てられる。
【０００４】
図６（a）に於て、７はステッピングモータのモータケースを形成するための有底円筒状のケース左半部であり、該ケース左半部７の開放端部８は環状に形成されると共に、該開放端部８の内周部が切欠されており、且つ、上下部に端子部（図示なし）を貫通させるための凹部９，９が形成されている。
【０００５】
一方、図６（ｂ）に於て、１０はステッピングモータのモータケースを形成するための有底円筒状のケース右半部であり、該ケース右半部１０の開放端部１１は環状に形成されると共に、前記該ケース左半部７の開放端部８に嵌合させるべく該開放端部１１の外周部が切欠されており、且つ、上下部に端子部（図示なし）を貫通させるための凹部１２，１２が形成されている。
【０００６】
そして、図６（ｃ）に示す如く、前記ケース左半部７の凹部９，９と、前記ケース右半部１０の凹部１２，１２とが夫々対向するように位置決めされた後、前記ケース左半部７の開放端部８に、前記ケース右半部１０の開放端部１１を軽圧入し、該開放端部８と、該開放端部１１を所定の方法で固着してモータケース１３を組立てる。
【０００７】
又、特許文献１には、円筒形状の連結リングを用い、該連結リングの内周部に溝部を形成し、該溝部に２つのステータから突出する外側磁極を嵌合して該２つのステータを組立てる構成が記載されている。
【０００８】
更に、特許文献２には、有底円筒形状のカバーの開放端部の内径部が切欠され、該切欠された内径部にステータから突出する外形部を嵌合し接着材で固定する構成が記載されている。
【０００９】
更に又、特許文献３には、円筒形状の連結リングの内周面に溝部が形成された形状保持部材が一体的に形成され、該溝部に左右ステータの外側磁極を嵌合し接着材で固定して、該左右ステータを固定する構成が記載されている。
【特許文献１】特開平１１−４１９０１号公報
【特許文献２】特開平１１−３０８８４４号公報
【特許文献３】特開２００１−３７１９５号公報
【発明の開示】
【発明が解決しようとする課題】
【００１０】
前述した図５に示すケース左半部１とケース右半部４とを組合わせる構成は、該ケース左半部１とケース右半部４とが同一形状であるため、部品点数が少なくて済み、且つ、金型も１つで済む利点があるが、該ケース左半部１と該ケース右半部４とを組合わせる時の位置決めが困難であり、且つ、他の位置決め部材を必要とする等の問題がある。
【００１１】
又、前述した図６に示すケース左半部７とケース右半部１０とを軽圧入により組立てる構成は、組立て易い利点があるが、ケース左半部７とケース右半部１０の２つの部品が必要となり、金型も２つ必要で、コスト高となる問題がある。
【００１２】
更に、特許文献１に記載の構成は、別部品としての連結リングが必要であり、且つ、連結リングに溝部を形成する作業が必要であり、部品点数の増加及び作業工数の増加を招く問題がある。
【００１３】
更に又、特許文献２に記載の構成は、カバーとステータとを別部品として形成するため、部品点数の増加を招き、金型も複数必要となりコスト高となる問題がある。
【００１４】
そして、特許文献３に記載の構成は、カバーと左右ステータとを別部品として形成するため、部品点数の増加を招き、金型も複数必要となりコスト高となる問題がある。
【００１５】
そこで、部品点数を低減し、金型を減らすことによりコストダウンを図ると共に、組立て性を向上させたステッピングモータのモータケースを得るために解決すべき技術的課題が生じてくるのであり、本発明はこの課題を解決することを目的とする。
【課題を解決するための手段】
【００１６】
本発明は上記目的を達成するために提案されたものであり、請求項１記載の発明は、  ２つの一端開放有底円筒体の開放端部を相互に当接させて組立てられるモータケースに於て、前記２つの円筒体は同一形状に形成されると共に、該円筒体の開放端部は内周部位が欠損して外周部位で形成される外周端部と、外周部位が欠損して内周部位で形成される内周端部とが対称位置に配設されて成り、該２つの円筒体の外周端部と内周端部とを相互に嵌合させて該２つの円筒体を組合わせるように構成されて成るモータケースを提供するものである。
【００１７】
この請求項１記載の発明によれば、２つの円筒体を１つの部品にすることができるため、部品点数を低減し、金型を減らすことによりコストダウンを図ると共に、相互に嵌合させて組立てることにより組立て性を向上させることができる。
【００１８】
又、請求項２記載の発明は、上記円筒体の開放端部は１つの上記外周端部と、１つの上記内周端部が配設される請求項１記載のモータケースを提供するものである。
【００１９】
この請求項２記載の発明によれば、２つの円筒体の１つの外周端部と、１つの内周端部とを嵌合させてモータケースを組立てることができる。
【００２０】
更に、請求項３記載の発明は、上記円筒体の開放端部は２つの上記外周端部と、２つの上記内周端部とが配設される請求項１記載のモータケースを提供するものである。
【００２１】
この請求項３記載の発明によれば、２つの円筒体の２つの外周端部と、２つの内周端部とを夫々嵌合させてモータケースを精度良く組立てることができる。
【００２２】
更に又、請求項４記載の発明は、上記円筒体の開放端部は３つ以上の上記外周端部と、３つ以上の上記内周端部とが配設される請求項１記載のモータケースを提供するものである。
【００２３】
この請求項４記載の発明によれば、２つの円筒体の３つ以上の外周端部と、３つ以上の内周端部とを夫々嵌合させてモータケースを更に精度良く組立てることができる。
【００２４】
そして、請求項５記載の発明は、上記内周端部は外周部位が圧潰されて形成され、上記外周端部は内周部位が圧潰されて形成されている請求項１，２，３又は４記載のモータケースを提供するものである。
【００２５】
この請求項５記載の発明によれば、前記内周端部は外周部位が圧潰されて形成され、前記外周端部は内周部位が圧潰されて形成されるため、形成が極めて容易である。
【発明の効果】
【００２６】
本発明の請求項１記載の発明は、２つの一端開放有底円筒体の開放端部を相互に当接させて組立てられるモータケースに於て、前記２つの円筒体は同一形状に形成されると共に、該円筒体の開放端部は内周部位が欠損して外周部位で形成される外周端部と、外周部位が欠損して内周部位で形成される内周端部とが対称位置に配設されて成るので、該２つの円筒体の外周端部と内周端部とを相互に嵌合させ該２つの円筒体を組合わせてモータケースを形成することができると共に、前記２つの円筒体を１つの部品にすることができるため、部品点数を低減し、金型を減らすことによりコストダウンを図ると共に、相互に嵌合させて組立てることにより組立て性を向上させることができる。
【００２７】
又、請求項２記載の発明は、上記円筒体の開放端部は１つの上記外周端部と、１つの上記内周端部が配設されるので、請求項１記載の発明の効果に加え、２つの円筒体の１つの外周端部と、１つの内周端部とを嵌合させてモータケースを組立てることができる。
【００２８】
更に、請求項３記載の発明は、上記円筒体の開放端部は２つの上記外周端部と、２つの上記内周端部とが配設されるので、請求項１記載の発明の効果に加え、２つの円筒体の２つの外周端部と、２つの内周端部とを夫々嵌合させてモータケースを精度良く組立てることができる。
【００２９】
更に又、請求項４記載の発明は、上記円筒体の開放端部は３つ以上の上記外周端部と、３つ以上の上記内周端部とが配設されるので、請求項１記載の発明の効果に加え、２つの円筒体の３つ以上の外周端部と、３つ以上の内周端部とを夫々嵌合させてモータケースを更に精度良く組立てることができる。
【００３０】
そして、請求項５記載の発明は、上記内周端部は外周部位が圧潰されて形成され、上記外周端部は内周部位が圧潰されて形成されているので、請求項１，２，３又は４記載の発明の効果に加え、前記内周端部及び外周端部の形成が極めて容易である等、著大なる効果を奏する発明である。
【発明を実施するための最良の形態】
【００３１】
部品点数を低減し、金型を減らすことによりコストダウンを図ると共に、組立て性を向上させたステッピングモータのモータケースを得るという目的を２つの一端開放有底円筒体の開放端部を相互に当接させて組立てられるモータケースに於て、前記２つの円筒体は同一形状に形成されると共に、該円筒体の開放端部は内周部位が欠損して外周部位で形成される外周端部と、外周部位が欠損して内周部位で形成される内周端部とが対称位置に配
設されて成り、該２つの円筒体の外周端部と内周端部とを相互に嵌合させて該２つの円筒体を組合わせるように構成することにより実現した。
【実施例１】
【００３２】
以下、本発明の一実施の形態を図１に従って説明する。図１（a）及び（ｃ）に於て、２１はステッピングモータのモータケースを形成するための有底円筒状のケース左半部であり、該ケース左半部２１の開放端部２２は内周部位が圧潰されて欠損し外周部位で形成される外周端部２３と、外周部位が圧潰されて欠損し内周部位で形成される内周端部２４とが対称位置に配設されて成り、且つ、該外周端部２３と該内周端部２４の隣接部には夫々、端子（図示せず）を外部に貫通させるための溝部２５，２６が形成されている。一方、図１（ｂ）及び（ｄ）に於て、２７はステッピングモータのモータケースを形成するための有底円筒状のケース右半部であり、該ケース右半部２７の開放端部２８は内周部位が圧潰されて欠損し外周部位で形成される外周端部２９と、外周部位が圧潰されて欠損し内周部位で形成される内周端部３０とが対称位置に配設されて成り、且つ、該外周端部２９と該内周端部３０の隣接部には夫々、端子（図示せず）を外部に貫通させるための溝部３１，３２が形成されている。即ち、前記ケース左半部２１と前記ケース右半部２７とは同一形状に形成され、従って、１つの金型で成型することができるように構成される。
【００３３】
而して、前記ケース左半部２１の溝部２５，２６と、前記ケース右半部２７の溝部３１，３２とが夫々対向するように位置決めされた後、前記ケース左半部２１の外周端部２３に前記ケース右半部２７の内周端部３０を軽圧入して嵌合させ、前記ケース右半部２７の外周端部２９に前記ケース左半部２１の内周端部２４を軽圧入して嵌合させて、その嵌合部をスポット溶接、レーザ溶接等の所定の方法で固着して図２に示す如く前記ケース左半部２１と、前記ケース右半部２７とを組立て、モータケース３３を作成する。
【００３４】
斯くして、該モータケース３３は前記ケース左半部２１と前記ケース右半部２７とを１つの部品にすることができるため、部品点数及び金型を減らすことによりコストダウンを図ることが可能となり、且つ、前記ケース左半部２１の外周端部２３に前記ケース右半部２７の内周端部３０を嵌合させ、前記ケース右半部２７の外周端部２９に前記ケース左半部２１の内周端部２４を嵌合させて組立てることにより組立て性を向上させることができる。
【実施例２】
【００３５】
以下、本発明の一実施の形態を図３に従って説明する。図３（ａ）及び（ｃ）に於て、３４はステッピングモータのモータケースを形成するための有底円筒状のケース左半部であり、該ケース左半部３４の開放端部３５は内周部位が圧潰されて欠損し外周部位で形成される２つの外周端部３６，３７と、外周部位が圧潰されて欠損し内周部位で形成される２つの内周端部３８，３９とが交互に且つ対称位置に配設されて成り、更に、該外周端部３６，３７と該内周端部３８，３９の隣接部には夫々、モータケース内から導出される端子（図示せず）を外部に貫通させるための４つの溝部４０，４１，４２，４３が形成されている。
【００３６】
一方、図３（ｂ）及び（ｄ）に於て、４４はステッピングモータのモータケースを形成するための有底円筒状のケース右半部であり、該ケース右半部４４の開放端部４５は前記内周端部３８，３９を夫々嵌合させるべく、内周部位が圧潰されて欠損し外周部位で形成される２つの外周端部４６，４７と、前記外周端部３６，３７に夫々嵌合させるべく、外周部位が圧潰されて欠損し内周部位で形成される２つの内周端部４８，４９とが交互に且つ対称位置に配設されて成り、更に、該外周端部４６，４７と該内周端部４８，４９の隣接部には夫々、モータケース内から導出される端子（図示せず）を外部に貫通させるための４つの溝部５０，５１，５２，５３が形成されている。即ち、前記ケース左半部３４と
前記ケース右半部４４とは同一形状に形成され、従って、１つの金型で成型することができるように構成される。
【００３７】
而して、前記ケース左半部３４の溝部４０，４１，４２，４３と、前記ケース右半部４４の溝部５０，５１，５２，５３とが夫々対向するように位置決めされた後、前記ケース左半部３４の外周端部３６，３７に前記ケース右半部４４の内周端部４８，４９を軽圧入して嵌合させ、前記ケース右半部４４の外周端部４６，４７に前記ケース左半部３４の内周端部３８，３９を軽圧入して嵌合させて、その嵌合部をスポット溶接、レーザ溶接等の所定の方法で固着して図４に示す如く前記ケース左半部３４と、前記ケース右半部４４とを組立てて、モータケース５４を作成する。
【００３８】
斯くして、該モータケース５４は前記ケース左半部３４と前記ケース右半部４４とを１つの部品にすることができるため、部品点数及び金型を低減することができ、コストダウンを図ることが可能となり、且つ、前記ケース左半部３４の外周端部３６，３７に前記ケース右半部４４の内周端部４８，４９を嵌合させ、前記ケース右半部４４の外周端部４６，４７に前記ケース左半部３４の内周端部３８，３９を嵌合させて組立てることにより前記モータケース５４を精度よく組立てることができる。
【００３９】
尚、前記モータケース５４のケース左半部３４の開放端部３５は２つの外周端部３６，３７と、２つの内周端部３８，３９とが交互に且つ対称位置に配設されて成るが、これに代えて３つ以上の外周端部と、３つ以上の内周端部とが交互に且つ対称位置に配設されても良く、同様に該ケース右半部４４の開放端部４５は２つの外周端部４６，４７と、２つの内周端部４８，４９とが交互に且つ対称位置に配設されて成るが、これに代えて３つ以上の外周端部と、３つ以上の内周端部とが交互に且つ対称位置に配設されても良い。然る時も同様な効果を得ることができると共に、モータケースを更に精度よく組立てることができる。
【００４０】
又、前記モータケース３３のケース左半部２１の外周端部２３及び内周端部２４と、ケース右半部２７の外周端部２９及び内周端部３０と、前記モータケース５４のケース左半部３４の外周端部３６，３７及び内周端部３８，３９と、ケース右半部４４の外周端部４６，４７及び内周端部４８，４９とは圧潰によって形成されたが、これに代えて、切欠によって形成しても良く、然る時も同様の効果が期待できる。
【００４１】
尚、本発明は、本発明の精神を逸脱しない限り種々の改変を為すことができ、そして、本発明が該改変されたものに及ぶことは当然である。
【図面の簡単な説明】
【００４２】
【図１】（ａ）本発明の実施例１を示し、モータケースのケース左半部の正面縦断面図。（ｂ）本発明の実施例１を示し、モータケースのケース右半部の正面縦断面図。（ｃ）前図（ａ）のＡ−Ａ線断面図。（ｄ）前図（ｂ）のＢ−Ｂ線断面図。
【図２】本発明の実施例１を示し、モータケースの正面縦断面図。
【図３】（ａ）本発明の実施例２を示し、モータケースのケース左半部の正面縦断面図。（ｂ）本発明の実施例２を示し、モータケースのケース右半部の正面縦断面図。（ｃ）前図（ａ）のＣ−Ｃ線断面図。（ｄ）前図（ｂ）のＤ−Ｄ線断面図。
【図４】本発明の実施例２を示し、モータケースの正面縦断面図。
【図５】（ａ）従来例を示し、モータケースのケース左半部の斜視図。（ｂ）従来例を示し、モータケースのケース右半部の斜視図。
【図６】（ａ）他の従来例を示し、モータケースのケース左半部の正面縦断面図。（ｂ）他の従来例を示し、モータケースのケース右半部の正面縦断面図。（ｃ）他の従来例を示し、モータケースのケースの正面縦断面図。
【符号の説明】
【００４３】
２２，２８，３５，４５    開放端部
２３，２９，３６，３７，４６，４７    外周端部
２４，３０，３８，３９，４８，４９    内周端部
３３，５４          モータケース
【図１】
2005218176.tif 000003
【図２】
2005218176.tif 000004
【図３】
2005218176.tif 000005
【図４】
2005218176.tif 000006
【図５】
2005218176.tif 000007
【図６】
2005218176.tif 000008